(57)【要約】【課題】遊技球発射装置の構成部品にばらつき等があっても均一な球飛びを実現し得る発射角度調整機構を提供する。【解決手段】遊技盤の下方に位置する前枠の下部領域に、発射レール２３から案内レール３３に向けて移動する遊技球をガイドする補助レール部２１３が設けられたガイド部材２１０と、ガイド部材２１０を傾動自在に支持する支持部材と、ガイド部材と係合してガイド部材の傾動角度を拡大した操作量に変換する傾角調整部材２３１を有し補助レール部２１３の傾き角を無段階に調整設定可能に構成した傾角設定構造２３０とを設け、傾角設定構造２３０により補助レール部２１３の傾き角を設定することで、遊技球発射装置から案内レール３３に発射される遊技球の発射角度を無段階に調整可能に発射角度調整機構２００を構成する。【選択図】  図２
2005021287.tif 000002
【特許請求の範囲】
【請求項１】
前面に遊技領域が設けられた遊技盤と、前記遊技盤を収容保持する遊技盤収容部を備えた前枠と、前記遊技盤収容部の下方に位置する前記前枠の下部領域に設けられ遊技球を打ち出す発射機構および打ち出された遊技球を上方の前記遊技盤に向けて導く発射レールを備えた遊技球発射装置と、前記遊技盤に設けられ前記遊技球発射装置から発射された遊技球を受けて前記遊技領域に案内する案内レールとを備えた弾球遊技機において、
前記前枠の下部領域に、
前記発射レールと前記案内レールとの間に配設され前記発射レールから前記案内レールに向けて移動する遊技球をガイドする補助レール部が設けられたガイド部材と、
前記ガイド部材を傾動自在に支持する支持部材と、
前記支持部材に支持された前記ガイド部材と係合して前記ガイド部材の傾動角度を拡大した操作量に変換する傾角調整部材を有し、当該傾角調整部材を操作して前記ガイド部材の傾動角度位置を調整することで、前記発射レールの延びる方向に対する前記補助レール部の傾き角を無段階に調整設定可能に構成された傾角設定手段とを備え、
前記傾角設定手段により前記補助レール部の傾き角を設定することで、前記遊技球発射装置から前記案内レールに発射される遊技球の発射角度を無段階に調整可能に構成したことを特徴とする弾球遊技機の発射角度調整機構。
【発明の詳細な説明】
【０００１】
【発明の属する技術分野】
本発明は、遊技領域が形成された遊技盤と、遊技領域に遊技球を発射する遊技球発射装置とを備えた弾球遊技機に関し、なお詳細には、遊技球発射装置から遊技盤に向けて発射される遊技球の球飛びを均一化させる技術に関する。
【０００２】
【従来の技術】
上記のような遊技球発射装置を備えた弾球遊技機として、パチンコ機、アレンジボール機、雀球遊技機等が一般に広く知られている。この種の弾球遊技機の代表とされるパチンコ機では、開閉搭載枠たる前枠の上部に遊技盤を収容する収容枠が設けられ、前面に遊技領域が形成された遊技盤が立設姿勢で収容保持されている。収容枠の下方に位置する前枠の下部領域には、遊技球を打ち出す発射機構および打ち出された遊技球を上方の遊技盤に向けて導く発射レールを備えた遊技球発射装置が設けられている。遊技盤には遊技球発射装置から発射された遊技球を受けて遊技領域に案内する半円弧状の案内レールが設けられており、遊技球発射装置から発射された遊技球が案内レールに沿って遊技領域の上部に導かれ、遊技釘に弾かれながら遊技領域を落下してゲームが行われるようになっている。
【０００３】
遊技球発射装置は、遊技者が遊技領域内の所望位置に遊技球を発射できるように、発射操作を行う発射ハンドルの操作量（回動角度位置）に応じた発射強度で遊技球を打ち出すように構成されている。ここで発射ハンドルの操作量が一定なら発射機構のハンマによる叩打力が一定になり、遊技球の到達位置も一定になるように考えられる。ところが、現実的には、遊技球発射装置を構成する多数の構成要素、例えば、発射ハンドルに内蔵されたポテンショメータ、ハンマの駆動源であるロータリーソレノイド、ハンマの先端に固定されたコイルバネのバネ定数、遊技球の叩打位置、発射レールの傾き角などが複雑に絡み合い、操作量が同一であっても発射された遊技球の到達位置（球飛び）に個体差が生じている。
【０００４】
このような背景の下、近年では、遊技球発射装置から発射された遊技球が案内レールに当接する位置（「着座点」という）の変化が、球飛びに影響を与えていると考えられるようになってきた。そこで、着座点を調整する手段として、発射レールの終端側を上下に変位させることで発射レールを弾性変形させ、レール面のプロフィール（発射レールが延びる方向のレール面の断面形状）を変化さることで発射角度を調整する調整機構が提案されている（特許文献１を参照）。
【０００５】
【特許文献１】
特開平６−３０４３０３号公報
【０００６】
【発明が解決しようとする課題】
しかしながら、上記特許文献１に記載された技術では、発射レール自体を弾性変形させる構成のため、発射レールの終端側を変位させたときにその影響が基端側にも及び、球飛び安定化の重要な要素のひとつである遊技球の叩打位置、すなわちハンマと遊技球との接触位置にも変化が生じるおそれがあった。また、発射レールを弾性変形させて発射角度を調整する構成のため、調整時に変形量に応じた反力が発生する。このため、変形量（調整量）が大きくなると、これに比例して反力も大きくなり、この反力に抗しながら微妙な角度調整をすることが難しいという課題があった。
【０００７】
本発明はこのような課題に鑑みてなされたものであり、遊技球発射装置を構成する各構成部品の精度向上のみでは抑制しきれない球飛びのばらつきを容易に調整して均一化し得る弾球遊技機の発射角度調整機構を提供することを目的とする。
【０００８】
【課題を解決するための手段】
上記目的達成のため、本発明は、前面に遊技領域が設けられた遊技盤と、この遊技盤を収容保持する遊技盤収容部を備えた前枠と、遊技盤収容部の下方に位置する前枠の下部領域に設けられ遊技球を打ち出す発射機構および打ち出された遊技球を上方の遊技盤に向けて導く発射レールを備えた遊技球発射装置と、遊技盤に設けられ遊技球発射装置から発射された遊技球を受けて遊技領域に案内する案内レールとを備えた弾球遊技機に関するものである。そのうえで、前枠の下部領域には、発射レールと案内レールとの間に配設され発射レールから案内レールに向けて移動する遊技球をガイドする補助レール部が設けられたガイド部材と、ガイド部材を傾動自在に支持する支持部材と、この支持部材に支持されたガイド部材と係合してガイド部材の傾動角度を拡大した操作量に変換する傾角調整部材を有し当該傾角調整部材を操作してガイド部材の傾動角度位置を調整することで発射レールの延びる方向に対する補助レール部の傾き角を無段階に調整設定可能に構成された傾角設定手段（例えば、実施形態における傾角設定構造２３０，３３０）とを備え、傾角設定手段により補助レール部の傾き角を設定することで、遊技球発射装置から案内レールに発射される遊技球の発射角度を無段階に調整可能に発射角度調整機構を構成する。
【０００９】
上記構成の発射角度調整機構では、発射レールと案内レールとの間に位置して発射レールから案内レールに向けて移動する遊技球をガイドする補助レール部を有したガイド部材が支持部材に傾動自在に支持されるとともに、支持されたガイド部材の傾動角度位置を調整することで補助レール部の傾き角を無段階に調整設定可能な傾角設定手段が設けられ、傾角設定手段により補助レール部の傾き角を設定することで遊技球発射装置から案内レールに発射される遊技球の発射角度を無段階に調整可能に構成される。このため、遊技球発射装置を構成する構成部品の精度上のばらつきに起因して球飛びに差異が生じても、傾角設定手段を利用して遊技球の発射角度を容易に調整することができ、これにより案内レールへの着座点を微調整して球飛びを均一化することができる。
【００１０】
また、本構成の発射角度調整機構では、傾角設定手段により補助レール部の傾き角を無段階に調整設定可能であることに加えて、ガイド部材の傾動角度を拡大した操作量に変換する傾角調整部材を有しており、この傾角調整部材を操作してガイド部材の傾動角度位置を調整することで、補助レール部の微少な角度調整を容易に行える構成になっている。このため、熟練作業者でなくても、各遊技機の球飛びの差異に応じたきめ細い調整を容易に行うことができる。
【００１１】
【発明の実施の形態】
以下、本発明の好ましい実施形態について、好適な実施例を挙げて添付図面を参照しながら説明する。図１にガラス扉５および上球皿６を開放した状態におけるパチンコ機ＰＭの正面図を示しており、まずこの図面を参照してパチンコ機ＰＭの全体概要について説明する。
【００１２】
パチンコ機ＰＭは外郭方形枠サイズに構成されて縦向きの固定保持用枠をなす外枠１の開口前面に、これに合わせた方形枠サイズに構成されて開閉搭載用の前枠２が互いの正面左側上下に配設されたヒンジ機構により前方に横開き開閉および着脱が可能に取り付けられ、正面右側に設けられた施錠装置４を利用して常には外枠１と係合連結された閉鎖状態に保持される。
【００１３】
前枠２の前面上部には、前枠２の前面域に合わせた方形状のガラス扉５および上球皿６が前方に横開き開閉および着脱可能に取り付けられ、正面右側に設けられた施錠装置４および球皿施錠装置を利用して前枠２の前面を覆う閉鎖状態に保持される。ガラス扉５の背後に位置する前枠上部には、遊技盤３０を着脱可能に収容保持する収容枠２ａが設けられており、この収容枠２ａに遊技盤３０が立設姿勢で収容保持され常には閉鎖施錠されるガラス扉５に前面域を臨ませている。
【００１４】
遊技盤３０は、所定板厚の積層合板の表面にセルを貼り付けて所定形状にルーター加工した化粧板（「ベニヤ」とも称される）３１を基板として構成される。化粧板３１の前面側には、帯板状の内レール３２と案内レール（外レールとも称される）３３とに囲まれて略円形の遊技領域ＰＡが区画形成され、この遊技領域ＰＡ内に多数本の遊技釘とともに風車や各種入賞具３５、遊技の進行状況に応じて図柄を表示させる画像表示装置３６などの遊技構成部品が取り付けられ、遊技領域ＰＡの下端部には遊技球を遊技盤３０の裏面側に排出させるアウト口３７が設けられている。案内レール３３は内レール３２の外側に所定間隔をおいて略平行に延び、これらのレール３２，３３に挟まれて下方に開く発射通路３４が形成される。
【００１５】
収容枠２ａの下方に位置する前枠２の下部領域には、遊技補助盤と称される補助機構部が形成され、その下側に下球皿７および発射ハンドル８が取り付けられている。遊技補助盤１０には発射ハンドル８の回動操作に基づいて、その回動操作角に応じた発射強度で遊技球を打ち出す発射機構２１および打ち出された遊技球を遊技盤３０の発射通路３４に向けて斜め上方に導く発射レール２３を備えた遊技球発射装置２０が設けられている。
【００１６】
ここで、発射機構２１には種々のタイプがあるが、例えば、ロータリーソレノイドの駆動軸に取り付けられたハンマを揺動制御し、あるいは揺動自在に支持されて捻りバネで付勢されたハンマをモータとカム機構を利用して揺動制御して、ハンマヘッドに固着されたコイルバネで遊技球を叩打する発射機構が利用される。発射レール２３は、右下端の打撃位置を基準として所定の傾斜角度（例えば２３度程度の傾斜角度）で固定設置され、その上端部が左斜め上方の発射通路３４に向けて収容枠２ａの支持面の高さ位置まで設けられる。発射レール２３のレール面は傾斜下端に向けて深くなるＶ溝状に折り曲げられており、下端部上方にはレール面に送り出された遊技球を打撃位置に位置決めする支持ブロック２４が取り付けられるとともに、この支持ブロック２４とＶ溝状のレール面との間にハンマヘッドのコイルバネを挿通させる叩打口が形成されている。
【００１７】
一方、案内レール３３は、下端部が発射レール２３の上端部の左方に所定間隔を隔てて固定され、左上方に円弧状に延びて所定高さで発射レールの延長線と浅い交差角で接するように形成されている。このため遊技球発射装置２０から発射された遊技球が案内レール３３に沿って滑らかに遊技領域ＰＡの上部に導かれ、遊技領域ＰＡを落下してゲームが行われるようになっている。
【００１８】
さて、以上のように概要構成されるパチンコ機ＰＭにあって、発射機構２１および発射レール２３が取り付けられて遊技球発射装置２０の基準とされる遊技補助盤１０に、遊技補助盤１０に、遊技球発射装置２０から案内レール３３に向けて発射される遊技球の発射角度を調整し得る発射角度調整機構が設けられている。以下では、まず図２〜図７の各図を参照して第１実施例の発射角度調整機構２００について説明する。
【００１９】
ここで、図２は発射角度調整機構２００の正面図、図３は発射角度調整機構２００の前面を覆うケースカバー１１を取り外した状態で斜め前方から見た発射角度調整機構２００の斜視図、図４は同様にケースカバーを取り外した状態で左側方から見た発射角度調整機構２００の側面図、図５は発射角度調整機構２００の平面図、図６は図２中のＶＩ−ＶＩ矢視の平断面図、図７は発射角度調整機構２００の作用を説明する正面図である。
【００２０】
発射角度調整機構２００は、発射レール２３と案内レール３３との間に配設されて発射レール２３から案内レール３３に向けて移動する遊技球（以下「発射球」という）ＢＨをガイドする補助レール部２１３が設けられたガイド部材２１０と、ガイド部材２１０を傾動自在に支持するガイド部材支持ボス２２０と、このガイド部材支持ボス２２０に支持されたガイド部材２１０と係合してガイド部材の傾動角度を拡大した操作量に変換する傾角調整レバー２３１を有し当該傾角調整レバーを揺動操作してガイド部材２１０の傾動角度位置を調整することで発射レール２３の延びる方向に対する補助レール部２１３の傾き角を無段階に調整設定可能な傾角設定構造２３０とを備え、傾角設定構造２３０により補助レール部２１３の傾き角を設定することで、遊技球発射装置２０から案内レール３３に発射される発射球ＢＨの発射角度を無段階に調整できるように構成される。
【００２１】
ガイド部材２１０は、前後方向のリブと左右方向のリブとを組み合わせて一体に樹脂成形した本体部２１１と、この本体部２１１の上端に取り付けられた薄板板金製の補助レール部２１３とからなり、両部材を図示形状に加工成形したうえ本体部材の上端に形成された支持台座としてのレール支持部に補助レール部２１３を嵌着してネジ固定することにより一体に形成される。
【００２２】
本体部２１１の上部には、補助レール部２１３の支持台座としてレール支持部が形成されている。レール支持部の上面は発射レール２３と略同一のレール幅で左右に延び、その傾斜角はガイド部材２１０を基準となる±０度の傾動角度位置に設定した状態で、発射レール２３の傾斜角と一致するように形成される。なお、本明細書では、ガイド部材２１０の傾動角度位置について、発射球ＢＨの進行方向に見てレール面が上向きになる方向を正の角度位置、下向きになる方向を負の角度位置と規定して説明する。レール支持部の導入側は、滑らかな曲面状に形成されており、ガイド部材２１０を正・負いずれの角度位置に設定した場合でも、上方を通過する発射球ＢＨが滑らかにガイドされるようになっている。レール支持部の左端側は下方に向けて２段に屈曲され、ケースカバー１１のガード壁１５と連絡するファール球緩衝壁２１６が形成されるようになっている。
【００２３】
レール支持部から下方に延びる本体部２１１の下部に、前後方向に軸線を有する軸受孔２１２が形成され、その下側にガイド部材２１０の傾角設定位置を見るための指標２１７が形成されている。軸受孔２１２の内径は遊技補助盤側のガイド部材支持ボス２２０の外径よりもわずかに大きめに形成されており、ガイド部材支持ボス２２０と嵌脱自在に係合してガイド部材２１０が倒立振り子形態で左右揺動自在に支持されるようになっている。本体部２１１の中間部には上下方向に長孔状のピン係合溝２１５が形成されている。
【００２４】
補助レール部２１３は、本体部２１１におけるレール支持部の形状に合わせて形成され、本体部２１１に嵌着することでレール面を形成し、遊技球を滑らかに案内するとともに本体部２１１の摩耗を防止する保護部材として機能する。補助レール部２１３のレール面の後縁は上方に屈曲されてサイドレール２１４が形成されている。サイドレール２１４の右端側は、レール面から切り離されて右方に突出形成され、この突出片２１４ａが発射レール２３の上方に位置して化粧板３１の下縁前方に配設されるようになっている。またサイドレール２１４の立設高さは遊技球の半径よりも幾分大きめに設定される一方、ガイド部材２１０を正方向に揺動させた場合でも、突出片２１４ａの先端部が発射レール２３と干渉しないように先端部が斜めに切り落とされている。補助レール部２１３は、レール面の右端およびファール球緩衝壁２１６の後縁に形成したフック部を利用して本体部２１１のレール支持部に嵌着され、一体のガイド部材２１０が形成される。
【００２５】
傾角設定構造２３０は、遊技補助盤１０に揺動可能に支持された傾角調整レバー２３１を主体とし、傾角調整レバーに形成された係合ピン２３５と、ガイド部材２１０に形成されたピン係合溝２１５との係合連関により構成される。
【００２６】
傾角調整レバー２３１は、円筒状の軸受部２３２から軸直交方向に張り出し成型された操作レバー部２３３と、軸受部２３２および操作レバー部２３３と直交方向に張り出されたうえ軸受部２３２の軸線と平行に前方に突出する係合ピン２３５とを有して構成される。軸受部２３２の内径は遊技補助盤側の調整部材支持ボス２２１の外径よりもわずかに大きめに形成されており、調整部材支持ボス２２１と嵌脱自在に係合して、傾角調整レバー２３１が揺動自在に支持されるようになっている。
【００２７】
係合ピン２３５は、そのピン外径がガイド部材のピン係合溝２１５の溝幅と略同一に形成されており、ピン係合溝２１５の溝幅方向にガタなく嵌合する一方、ピン係合溝２１５の延びる方向には相対スライド可能に係合する。また係合ピン２３５とピン係合溝２１５との位置関係は、傾角調整レバー２３１を調整部材支持ボス２２１に支持させ、ガイド部材２１０をガイド部材支持ボス２２０に支持させたときに相互に係合する位置にあることはいうまでもないが、軸受部２３２と係合ピン２３５との軸間距離（すなわち係合ピン２３５の揺動半径）が、軸受孔２１２と係合ピン２３５との距離（すなわち係合ピン２３５に傾動されるガイド部材側の傾動半径）よりも小さく設定されている。
【００２８】
一方、遊技補助盤１０には、発射レール２３の左側に位置してガイド部材２１０を支持するガイド部材支持ボス２２０、および傾角調整レバー２３１を支持する調整部材支持ボス２２１が前方に突出成型されている。ガイド部材支持ボス２２０の下側には、ガイド部材側の指標２１７と整合する高さ位置に、ガイド部材２１０の傾角設定状態を示す目安として傾角目盛り２３７が設けられている。各図には、前述した基準角度位置を中心として左右等間隔に正方向および負方向の目盛り線を形成した例を示す。
【００２９】
そして、以上のように構成される各部材が遊技補助盤１０に組み付けられて傾斜角度調整機構２００が形成される。組み付けは傾角調整レバー２３１から行われ、傾角調整レバー２３１の軸受部２３２を遊技補助盤の調整部材支持ボス２２１に嵌合支持させて、その前方から座金を介して係止ネジ２３８を締結することで、傾角調整レバー２３１が調整部材支持ボス２２１に揺動自在に支持される。ガイド部材２１０は、本体部下端の軸受孔２１２をガイド部材支持ボス２２０に嵌合させて支持させるとともに、ピン係合溝２１５を傾角調整レバーの係合ピン２３５に係合させ、ガイド部材支持ボス２２０の前方から座金を介して支持ネジ２２８を締結することで左右に傾動可能に支持される。
【００３０】
このように傾角調整レバー２３１とガイド部材２１０とが組み付けられた状態で傾角調整レバー２３１が揺動されると、係合ピン２３５は調整部材支持ボス２２１を軸心として上下に揺動し、この係合ピン２３５とピン係合溝２１５で係合するガイド部材２１０は、係合ピン２３５をピン係合溝２１５内でスライド移動させながらガイド部材支持ボス２２０を軸心として左右に傾動する。
【００３１】
ここで、前述したように、軸受部２３２と係合ピン２３５との軸間距離は、軸受孔２１２と係合ピン２３５との距離よりも小さく、すなわち係合ピン２３５の揺動半径が係合ピン２３５に傾動されるガイド部材側の傾動半径よりも小さく設定されている。このことは、傾角調整レバー２３１の揺動による係合ピン２３５左右方向の変位が、ガイド部材２１０に小さな傾動角度の変位としてとして伝達されること、逆説すれば、ガイド部材２１０の微少な傾動角度の変化が、より大きな揺動操作角度（操作量）に拡大変換されることを意味し、微少な角度調整が可能なことを意味する。
【００３２】
このため、操作レバー部２３３を利用して傾角調整レバー２３１を揺動させることで、ガイド部材２１０を左右に傾動させることができ、傾動角度位置の調整においては、ガイド部材２１０の傾動角度位置を連続的にかつ細かく調整することができる。傾角調整レバーにおける軸受部２３２の前後方向寸法は、図６中に一部断面図を示すように、調整部材支持ボス２２１の突出高さよりも大きめに設定されており、ガイド部材２１０の傾動角度位置の調整が完了したときに係止ネジ２３８を締め込むことで、傾角調整レバー２３１を調整後の揺動角度位置に固定し、ガイド部材２１０を当該傾動角度位置に係止設定可能になっている。なお、ガイド部材における軸受孔２１２についても、上記軸受部２３２と同様に構成することができ、ガイド部材２１０を当該調整後の傾動角度位置に強固に固定することができる。
【００３３】
一方、ガイド部材２１０および傾角調整レバー２３１の前方に取り付けられるケースカバー１１には、発射レール２３の延長線よりも上方に位置して左斜め上方に前述したと同様の飛送ガイド１２が形成され、その後方にはガイド部材２１０と案内レール３３との間で上方に開口するファール球回収口１３が形成される。ファール球回収口１３の下方には下球皿７に繋がるファール球回収通路１４が形成されており、遊技領域ＰＡに到達できずに案内レール３３に沿って落下してきたファール球がファール球回収口１３に落入し、ファール球回収通路１４を通って下球皿７に回収されるようになっている。ケースカバー１１の裏面側には、ガイド部材２１０の左側方に位置して後方に延びファール球回収通路の側壁を形成するガード壁１５が形成されている。
【００３４】
このため、遊技球発射装置から発射され発射通路３４に飛翔する発射球ＢＨが、ガラス扉５のガラス板に直接衝突することなく案内レール３３に向けて案内される。一方、遊技領域ＰＡに到達できずに案内レール３３に沿って落下してきたファール球は、遊技補助盤１０の前面側に転落することなくファール球回収口１３に落入して下球皿７に回収される。このときファール球回収口１３に落入したファール球は、ガイド部材のファール球緩衝壁２１６およびガード壁１５に受け止められてファール球回収通路１４に導かれ、傾角調整レバー２３１に衝突しないようになっている。
【００３５】
またケースカバー１１には、ガード壁１５の右側に略矩形の傾角設定窓１７が開口形成されており、傾角調整レバー２３１の調整並びに固定操作、および指標２１７が指し示す傾角の目視確認などができるようになっている。
【００３６】
さて、以上のように構成される発射角度調整機構２００では、係止ネジ２３８を緩めて傾角調整レバー２３１を揺動させることで、ガイド部材２１０の傾動角度位置、すなわち補助レール部２１３の傾き角を無段階に調整して発射球ＢＨの発射角度を設定し、係止ネジ２３８を締め込むことで当該調整後の発射角度に固定することができる。
【００３７】
遊技球の発射角度を調整する際には、初期設定とされるガイド部材２１０の基準角度位置設定、すなわちガイド部材の指標２１７が傾角目盛り２３７の中心を指す角度位置の設定において、発射機構２１により打ち出される遊技球の発射強度を基準強度に設定し、発射された遊技球の案内レール３３への着座点が所定位置になるようにガイド部材２１０の傾動角度位置を調整することで行われる。ここで、発射強度を基準強度にするには種々の方法があるが、例えば、発射ハンドル８の回動角度位置を所定の回動角度位置に設定し、あるいは当該回動角度位置に対応する操作信号を発射機構２１の制御基板に入力し、または発射機構２１の駆動源（ロータリーソレノイドやモータ）に基準電力の指令信号を入力するなどにより、一定の叩打力で遊技球を打ち出させる。
【００３８】
発射機構２１のハンマに叩打され左方向に打ち出された遊技球は、斜め上方に向けて延びる発射レール２３との相対作用（反力）により下向きの分力を有するため、発射レール２３に押しつけられるようにレール面に沿って転動し、補助レール部２１３を通ってファール球回収口２１３の上方を発射通路３４に向けて飛翔する。
【００３９】
ここで、補助レール部２１３にはサイドレール２１４が設けられ、このサイドレール２１４が化粧板３１の下縁前方に配設されている。このため、万が一、化粧板３１の表面に張られたセルが剥離しても、サイドレール２１４が剥離したセルを押さえ、発射球が剥離したセルに引っかかったり、セルの剥離を進行させるようなことがない。一方、遊技球が遊技盤３０から離れた前方の経路を移動した遊技球や、サイドレール２１４に接して前方に案内された遊技球は、ケースカバーの飛翔ガイド１２に接して案内され、ガラス扉５のガラス板に直接衝突することなく案内レール３３に向けて飛翔する。
【００４０】
発射通路３４を飛翔した発射球ＢＨは、遊技球発射装置２０をはじめとする各構成要素の組み合わせに応じた高さ位置で案内レール３３に着座する。そこで、観測された着座点とこのパチンコ機ＰＭにおける基準の着座点とを比較しその高・低を判断する。着座点の判定は、例えば盤面に合致した機種固有のテンプレートやゲージを利用して行うことができるほか、案内レール３３のレール面に感圧紙を貼り付けて接触点を観察する方法等によっても行うことができる。
【００４１】
そして、観測された着座点が基準の着座点よりも低いと判断されたときには、係止ネジ２３８を緩めて傾角調整レバー２３１を揺動させ、ガイド部材２１０を正の傾角方向に傾動させて補助レール部２１３の傾き角を発射球ＢＨの進行方向に見て上向きに調整し係止ネジ２３８を締め込む（図７（ａ）を参照）。係止ネジ２３８が締め込まれると、係止ピン２３５と係止溝２１５との係合によりガイド部材２１０の傾動が規制され、係止ネジ２３８を締め込んだ傾動角度位置、すなわち補助レール部２１３の傾き角が上向きに調整された角度位置に係止保持される。これにより、補助レール部２１３を通って発射される発射球ＢＨの発射角度は、調整前よりも上向きに変化し案内レール３３への着座点が高くなる。
【００４２】
一方、観測された着座点が基準の着座点よりも高いと判断されたときには、係止ネジ２３８を緩めて傾角調整レバー２３１を揺動させ、ガイド部材２１０を負の傾角方向に傾動させて補助レール部２１３の傾き角を発射球ＢＨの進行方向に見て下向きに調整し係止ネジ２３８を締め込む（図７（ｂ）を参照）。係止ネジ２３８が締め込まれると、係止ピン２３５と係止溝２１５との係合によりガイド部材２１０の傾動が規制され、係止ネジ２３８を締め込んだ傾動角度位置、すなわち補助レール部２１３の傾き角が下向きに調整された角度位置に係止保持される。これにより、補助レール部２１３を通って発射される発射球ＢＨの発射角度は、調整前よりも下向きに変化し案内レール３３への着座点が低くなる。
【００４３】
傾き角の調整操作は、操作レバー部２３３を左右に揺動させることで、連続的に行うことができ、かつ前述したように操作量が拡大変換される構成のため微少な傾斜角度の調整を容易に行うことができる。また調整操作に際しては、傾角目盛り２３７に対する指標２１７の位置が、補助レール部２１３の傾き方向およびその程度を示す目安となり、観測された着座点の高・低およびその量に応じて傾角目盛り２３７に対する指標２１７の位置を参照しながらレバー操作することで、遊技球の発射角度を調整し、案内レール３３への着座点を容易に調整することができる。
【００４４】
従って、以上説明した発射角度調整機構２００によれば、傾角調整レバー２３１を揺動操作することで遊技球の発射角度を簡単に無段階調整できるため、パチンコ機の各構成部品のばらつきに起因して球飛びに個体差が生じても、遊技球の発射角度を調整することにより案内レール３３への着座点を微調整して球飛びを均一化することができる。また、発射角度調整機構２００では、ガイド部材２１０の傾動角度が拡大した操作量に変換されるため、補助レール部２１３の微少な角度調整を容易に行うことができる。
【００４５】
次に、第２実施例の発射角度調整機構３００について、図８〜図１３の各図を参照して説明する。ここで、図８は発射角度調整機構３００の正面図、図９は発射角度調整機構３００の前面を覆うケースカバー１１を取り外した状態で斜め前方から見た発射角度調整機構３００の斜視図、図１０は同様にケースカバーを取り外した状態で発射角度調整機構３００を見た正面図、図１１は発射角度調整機構３００の平面図、図１２は図８中のＸＩＩ−ＸＩＩ矢視の平断面図、図１３は発射角度調整機構３００の作用を説明する正面図である。
【００４６】
発射角度調整機構３００は、発射レール２３と案内レール３３との間に配設されて発射レール２３から案内レール３３に向けて移動する発射球ＢＨをガイドする補助レール部３１３が設けられたガイド部材３１０と、ガイド部材３１０を傾動自在に支持するガイド部材支持ボス３２０と、このガイド部材支持ボス３２０に支持されたガイド部材３１０と係合してガイド部材の傾動角度を拡大した操作量に変換する傾角調整ネジ３３１を有し当該傾角調整ネジを回動操作してガイド部材３１０の傾動角度位置を調整することで発射レール２３の延びる方向に対する補助レール部３１３の傾き角を無段階に調整設定可能な傾角設定構造３３０とを備え、傾角設定構造３３０により補助レール部３１３の傾き角を設定することで、遊技球発射装置２０から案内レール３３に発射される発射球ＢＨの発射角度を無段階に調整できるように構成される。
【００４７】
ガイド部材３１０は、前後方向に延びる壁面とその前方に左右方向に延びる壁面とを組み合わせて一体に樹脂成形した本体部３１１と、この本体部３１１の上端に取り付けられた薄板板金製の補助レール部３１３とからなり、両部材を図９に示す形状に加工成形したうえ本体部の上端に形成されたレール支持部に補助レール部３１３を嵌着することにより一体に形成される。
【００４８】
本体部３１１の上部には、補助レール部３１３の支持台座としてレール支持部が形成されている。レール支持部の上面は発射レール２３と略同一のレール幅で左右に延び、その傾斜角はガイド部材３１０を基準となる±０度の傾動角度位置に設定した状態で、発射レール２３の傾斜角と一致するように形成される。レール支持部の導入側は、滑らかな曲面状に形成されており、ガイド部材３１０を正・負いずれの角度位置に設定した場合でも、上方を通過する発射球ＢＨが滑らかにガイドされるようになっている。レール支持部の左端側は下方に屈曲され、ケースカバー１１のガード壁１５と連絡するファール球緩衝壁３１６が形成されるようになっている。
【００４９】
本体部３１１の中央部に、前後を連通して軸受孔３１２が形成されている。軸受孔３１２の内径は遊技補助盤側のガイド部材支持ボス３２０の外径よりもわずかに大きめに形成されており、ガイド部材支持ボス３２０と嵌脱自在に係合してガイド部材３１０が左右揺動自在に支持されるようになっている。本体部３１１の左右中央には上下に延びる中間壁が形成されており、この中間壁の下部に上下方向に長孔状のピン係合溝３１５が形成されている。中間壁の下端部は左右の斜辺の交叉に合わせて鋭角に成型され、ガイド部材３１０の傾角設定位置を見るための指標３１７が形成される。
【００５０】
補助レール部３１３は、本体部３１１におけるレール支持部の形状に合わせて形成され、本体部３１１に嵌着することでレール面を形成し、遊技球を滑らかに案内するとともに本体部３１１の摩耗を防止する保護部材として機能する。補助レール部３１３のレール面の後縁は上方に屈曲されてサイドレール３１４が形成されている。サイドレール３１４の右端側は、レール面から切り離されて右方に突出形成され、この突出片３１４ａが発射レール２３の上方に位置して化粧板３１の下縁前方に配設されるようになっている。またサイドレール３１４の立設高さは遊技球の半径よりも幾分大きめに設定される一方、ガイド部材３１０を正方向に揺動させた場合でも、突出片３１４ａの先端部が発射レール２３と干渉しないように先端部が斜めに切り落とされている。一方、補助レール部３１３のレール面の前縁は一部が下方に屈曲されてタブ状のネジ受けフランジ３１３ａが形成され、その中心に軸受孔３１２と整合するネジ挿通孔が形成されている。補助レール部３１３は、レール面の両端に形成したフック部を利用して本体部３１１のレール支持部に嵌着され、一体のガイド部材３１０が形成される。
【００５１】
傾角設定構造３３０は、傾角調整ネジ３３１と、この傾角調整ネジ３３１を螺合支持する支持部材３３２とを主体とし、傾角調整ネジ３３１の先端に形成された係合ピン３３５と、ガイド部材２１０に形成されたピン係合溝３１５との係合連関により構成される。
【００５２】
傾角調整ネジ３３１は、小型の六角ボルトを利用し、ネジ部３３４の先端に小径の係合ピン３３５を形成して構成される。支持部材３３２は、薄板金属材料を打ち抜きおよび曲げ加工してＬ字状に形成した支持プレートにナット３３３を溶着して構成され、サラ小ネジ等により遊技補助盤１０に取り付けられる。
【００５３】
傾角調整ネジ３３１における係合ピン３３５の外径は、ピン係合溝３１５の溝幅と略同一に形成されており、ピン係合溝３１５の溝幅方向にガタなく嵌合する一方、溝の延びる方向には一定範囲で相対変位を許容する（図１２および図１０の部分拡大図を参照）。係合ピン３３５の基端側には、ネジ部３３４に向けて拡大するテーパ面が形成されネジ部３３４と滑らかに繋がっている。また係合ピンの先端側にはＥリング（Ｅ型止め輪）３３６を嵌着するリング溝が形成されている。テーパ面とリング溝との間隔は、ピン係合溝３１５が形成された壁面の厚さと略同一寸法に形成されており、ピン係合溝３１５に係合ピン３３５を嵌合させてリング溝にＥリング３３６を嵌着したときに、傾角調整ネジ３３１の軸方向にガタなく係合するとともに、上記テーパ面の作用により一定の相対傾斜を許容し得る構成になっている。
【００５４】
一方、遊技補助盤１０には、発射レール２３の上端左側に位置してガイド部材３１０を支持するガイド部材支持ボス３２０が前方に突出成型され、その下方には、ガイド部材側の指標３１７と整合する高さ位置にガイド部材３１０の傾角設定状態を示す目安として傾角目盛り３３７が設けられている。また傾角目盛り３３７の左方には、支持部材３３２を位置決めして固定保持する支持部材固定部が支持部材の脚部の形状寸法に合わせてザグリ成型されている。
【００５５】
そして、以上のように構成される各部材が遊技補助盤１０に組み付けられて傾斜角度調整機構３００が形成される。ガイド部材３１０は、軸受孔３１２をガイド部材支持ボス３２０に嵌合させて支持させ、ネジ受けフランジ３１３ａの前方からガイド部材支持ボス３２０に支持ネジ３２８を締結することで左右に傾動可能に支持される。
【００５６】
傾角設定構造３３０は、遊技補助盤１０にザグリ成型された支持部材固定部に支持部材３３２を嵌合させてネジ固定することでその位置および方位が位置決めされ、このように位置決めされた支持部材のナット３３３に傾斜調整ネジ３１１を螺合させることで、遊技補助盤に取り付けられる。そして傾角調整ネジ３１１を繰り出して先端の係合ピン３３５をガイド部材３１０のピン係合溝３１５に嵌合させ、中間壁の右側に突出した係合ピン３３５の先端側にＥリング３３６を嵌着することで、ガイド部材３１０と係合連結される。
【００５７】
このように傾角調整ネジ３３１とガイド部材３１０とが係合連結されると、傾角調整ネジ３３１を回動操作することで、ガイド部材３１０の傾動角度位置を調整することができる。例えば、傾角調整ネジ３３１が時計回りに回動されると、傾角調整ネジ３３１がナット３３３との螺合に応じて（ネジピッチと回動角度との関係に応じて）右動し、係合ピン３３５の基端側のテーパ面がピン係合溝３１５の周縁を右方に押圧して、ガイド部材３１０をガイド部材支持ボス３２０まわりに傾動させ、補助レール部３１３の先端側が下向きになる負の傾斜角度方向に傾動させる。逆に傾角調整ネジ３３１が反時計回りに回動されると、傾角調整ネジ３３１がナット３３３との螺合に応じて左動し、Ｅリング３３６がピン係合溝３１５の周縁を左方に引き込んで、ガイド部材３１０をガイド部材支持ボス３２０まわりに傾動させ、補助レール部３１３の先端側が上向きになる正の傾斜角度方向に傾動させる。
【００５８】
ここで、傾角調整ネジ３３１の回動角度とガイド部材３１０の傾動角度との関係は、傾角調整ネジ３３１のネジピッチと、この傾角調整ネジによって傾動されるガイド部材の腕の長さ（軸受孔３１２とピン係合溝３１５との距離）とによって規定され、傾角調整ネジを１ピッチ分回動させても、ガイド部材３１０はそのピッチを腕の長さで除した角度分しか傾動されない。このことは、ガイド部材３１０の微少な傾動角度の変化が、より大きな回動操作角度（操作量）に拡大変換されること、より具体的には微少な角度調整が可能なことを意味する。
【００５９】
このため、傾角調整ネジ３３１を回動することで、ガイド部材３１０を左右に傾動させることができ、傾動角度位置の調整においては、ガイド部材３１０の傾動角度位置を連続的にかつ細かく調整することができる。なお軸受孔３１２の前後方向寸法は、ガイド部材支持ボス３２０の突出高さよりも大きめに設定されており、ガイド部材２１０の傾動角度位置の調整が完了したときに支持ネジ３２８を締め込むことでガイド部材２１０を当該傾動角度位置に係止設定可能になっている。また、支持部材３３２から右側に突出する傾角調整ネジのネジ部３３４に、ナット３３３と対峙してロックナットを螺合させ、傾動角度位置の調整後にロックナットを係止する構成とすることもでき、これによりガイド部材３１０の係止設定をより強固にすることができる。
【００６０】
一方、ガイド部材３１０および傾角調整ネジ３３１の前方に取り付けられるケースカバー１１には、発射レール２３の延長線よりも上方に位置して左斜め上方に前述したと同様の飛送ガイド１２が形成され、その後方にはガイド部材３１０と案内レール３３との間で上方に開口するファール球回収口１３が形成される。ファール球回収口１３の下方には下球皿７に繋がるファール球回収通路１４が形成されており、遊技領域ＰＡに到達できずに案内レール３３に沿って落下してきたファール球がファール球回収口１３に落入し、ファール球回収通路１４を通って下球皿７に回収される。ケースカバー１１の裏面側には、ガイド部材３１０の左側方に位置して後方に延びファール球回収通路の側壁を形成するガード壁１５が形成されている。
【００６１】
このため、遊技球発射装置から発射され発射通路３４に飛翔する発射球ＢＨが、ガラス扉５のガラス板に直接衝突することなく案内レール３３に向けて案内される。一方、遊技領域ＰＡに到達できずに案内レール３３に沿って落下してきたファール球は、遊技補助盤１０の前面側に転落することなくファール球回収口１３に落入して下球皿７に回収される。このときファール球回収口１３に落入したファール球は、ガイド部材のファール球緩衝壁３１６およびガード壁１５に受け止められてファール球回収通路１４に導かれ、傾角調整ネジ３３１に衝突しないようになっている。
【００６２】
またケースカバー１１には、ガード壁１５の右側に傾角設定窓１７が開口形成されており、傾角調整ネジ３３１による調整操作、支持ネジ３２８の固定操作および指標３１７が指し示す傾角の目視確認などができるようになっている。
【００６３】
さて、以上のように構成される発射角度調整機構３００では、支持ネジ３２８を緩めて傾角調整ネジ３３１を揺動させることで、ガイド部材３１０の傾動角度位置、すなわち補助レール部３１３の傾き角を無段階に調整して発射球ＢＨの発射角度を設定し、支持ネジ３２８を締め込むことで当該調整後の発射角度に固定することができる。
【００６４】
遊技球の発射角度を調整する際には、初期設定とされるガイド部材３１０の基準角度位置設定、すなわちガイド部材の指標３１７が傾角目盛り３３７の中心を指す角度位置の設定において、発射機構２１により打ち出される遊技球の発射強度を基準強度に設定し、発射された遊技球の案内レール３３への着座点が所定位置になるようにガイド部材３１０の傾動角度位置を調整することで行われる。発射強度を基準強度にする方法は既述したとおりである。
【００６５】
発射機構２１のハンマに叩打され左方向に打ち出された遊技球は、斜め上方に向けて延びる発射レール２３との相対作用により発射レール２３に押しつけられるようにレール面に沿って転動し、補助レール部３１３を通ってファール球回収口３１３の上方を発射通路３４に向けて飛翔する。
【００６６】
ここで、補助レール部３１３にはサイドレール３１４が設けられ、このサイドレール３１４が化粧板３１の下縁前方に配設されている。このため、万が一、化粧板３１の表面に張られたセルが剥離しても、サイドレール３１４が剥離したセルを押さえ、発射球が剥離したセルに引っかかったり、セルの剥離を進行させるようなことがない。一方、遊技球が遊技盤３０から離れた前方の経路を移動した遊技球や、サイドレール３１４に接して前方に案内された遊技球は、ケースカバーの飛翔ガイド１２に接して案内され、ガラス扉５のガラス板に直接衝突することなく案内レール３３に向けて飛翔する。
【００６７】
発射通路３４を飛翔した発射球ＢＨは、遊技球発射装置２０をはじめとする各構成要素の組み合わせに応じた高さ位置で案内レール３３に着座する。そこで、観測された着座点とこのパチンコ機ＰＭにおける基準の着座点とを比較しその高・低を判断する。なお着座点の判定には既述した各手法を用いることができる。
【００６８】
そして、観測された着座点が基準の着座点よりも高いと判断されたときには、支持ネジ３２８を緩めてガイド部材３１０の係止を解除し、傾角調整ネジ３３１を時計回りに回動してガイド部材３１０を負の傾角方向に傾動させ、補助レール部３１３の傾き角を発射球ＢＨの進行方向に見て下向きに調整して支持ネジ３２８を締め込む（図１３を参照）。支持ネジ３２８が締め込まれるとガイド部材３１０が当該傾動角度位置、すなわち補助レール部３１３の傾き角が下向きに調整された角度位置に係止保持される。これにより、補助レール部３１３を通って発射される発射球ＢＨの発射角度は、調整前よりも下向きに変化し案内レール３３への着座点が低くなる。
【００６９】
一方、観測された着座点が基準の着座点よりも低いと判断されたときには、傾角調整ネジ３３１を反時計回りに回動し、ガイド部材３１０を正の傾角方向に傾動させて補助レール部３１３の傾き角を発射球ＢＨの進行方向に見て上向きに調整して支持ネジ３２８を締め込む。支持ネジ３２８が締め込まれるとガイド部材３１０が当該傾動角度位置、すなわち補助レール部３１３の傾き角が上向きに調整された角度位置に係止保持される。これにより、補助レール部３１３を通って発射される発射球ＢＨの発射角度は、調整前よりも上向きに変化し案内レール３３への着座点が高くなる。
【００７０】
傾き角の調整操作は、傾角調整ネジ３３１を時計回り、または反時計回りに回動することで連続的に行うことができ、かつ前述したように操作量が拡大変換される構成のため微少な傾斜角度の調整を容易に行うことができる。また調整操作に際しては、傾角目盛り３３７に対する指標３１７の位置が、補助レール部３１３の傾き方向およびその程度を示す目安となり、観測された着座点の高・低およびその量に応じて傾角目盛り３３７に対する指標３１７の位置を参照しながらレバー操作することで、遊技球の発射角度を調整し、案内レール３３への着座点を容易に調整することができる。
【００７１】
従って、以上説明した発射角度調整機構３００によれば、傾角調整ネジ３３１を回動操作することで遊技球の発射角度を簡単に無段階調整できるため、パチンコ機の各構成部品のばらつきに起因して球飛びに個体差が生じても、遊技球の発射角度を調整することにより案内レール３３への着座点を微調整して球飛びを均一化することができる。また、発射角度調整機構３００では、ガイド部材３１０の傾動角度が拡大した操作量に変換されるため、補助レール部３１３の微少な角度調整を容易に行うことができる。
【００７２】
なお、本実施例ではガイド部材３１０の中間壁にピン係合溝３１５を形成し、このピン係合溝３１５に嵌合させた係合ピン３３５の先端側にＥリング３３６を嵌着して中間壁を挟み込むように係合させる構成例を示したが、傾角調整ネジ３３１はガイド部材３１０の傾動角度位置を調整可能な構成であればよい。例えば、傾角調整ネジ３３１の先端を丸先ないし棒先として中間壁に当接させる一方、中間壁を傾角調整ネジ３３１の方向に付勢するバネ等の付勢手段を設け、傾角調整ネジ３３１の螺合に応じてガイド部材３１０が傾動する構成にすることもできる。
【００７３】
【発明の効果】
以上説明したように、本発明では、遊技盤を収容保持する前枠の下部領域に設けられて発射機構および発射レールを備えた遊技球発射装置と、遊技球発射装置から発射された遊技球を遊技盤の遊技領域に案内する案内レールとを備えた弾球遊技機において、前枠の下部領域に、発射レールと案内レールとの間に配設され発射レールから案内レールに向けて移動する遊技球をガイドする補助レール部が設けられたガイド部材と、ガイド部材を傾動自在に支持する支持部材と、この支持部材に支持されたガイド部材と係合してガイド部材の傾動角度を拡大した操作量に変換する傾角調整部材を有し当該傾角調整部材を操作してガイド部材の傾動角度位置を調整することで発射レールの延びる方向に対する補助レール部の傾き角を無段階に調整設定可能に構成した傾角設定手段とを設け、傾角設定手段により補助レール部の傾き角を設定することで、遊技球発射装置から案内レールに発射される遊技球の発射角度を無段階に調整可能に発射角度調整機構を構成する。
【００７４】
このため、遊技球発射装置を構成する構成部品の精度上のばらつきに起因して球飛びに差異が生じても、傾角設定手段を利用して遊技球の発射角度を調整することで案内レールへの着座点を微調整することができ、これにより各構成部品の精度向上のみでは抑制しきれない球飛びのばらつきを容易に調整して均一化し得る発射角度調整機構を提供することができる。また、傾角設定手段により補助レール部の傾き角を無段階に調整設定可能であることに加えて、ガイド部材の傾動角度を拡大した操作量に変換する傾角調整部材を有しており、この傾角調整部材を操作してガイド部材の傾動角度位置を調整することで、補助レール部の微少な角度調整を容易に行える構成になっている。このため、熟練作業者でなくても、各遊技機の球飛びの差異に応じたきめ細い調整を容易に行うことができる。
【図面の簡単な説明】
【図１】本発明に係る発射角度調整機構を備えた弾球遊技機の一例として示すパチンコ機の正面図である。
【図２】第１実施例の発射角度調整機構の正面図である。
【図３】ケースカバーを取り外した状態で斜め前方から見た第１実施例の発射角度調整機構の斜視図である。
【図４】ケースカバーを取り外した状態で左側方から見た第１実施例の発射角度調整機構の側面図である。
【図５】第１実施例の発射角度調整機構の平面図である。
【図６】図２中のＸＩ−ＸＩ矢視の平断面図である。
【図７】第１実施例の発射角度調整機構の作用を説明するための正面図である。
【図８】第２実施例の発射角度調整機構の正面図である。
【図９】ケースカバーを取り外した状態で斜め前方から見た第２実施例の発射角度調整機構の斜視図である。
【図１０】ケースカバーを取り外した状態で前方から見た第２実施例の発射角度調整機構の正面図である。
【図１１】第２実施例の発射角度調整機構の平面図である。
【図１２】図８中のＸＩＩ−ＸＩＩ矢視の平断面図である。
【図１３】第２実施例の発射角度調整機構の作用を説明するための正面図である。
【符号の説明】
ＢＨ  発射球
ＰＡ  遊技領域
ＰＭ  パチンコ機
１  外枠
２  前枠（２ａ  収容枠）
４  施錠装置
５  ガラス扉
６  上球皿
７  下球皿
８  発射ハンドル
１０  遊技補助盤
１１  ケースカバー
１２  飛送ガイド
１３  ファール球回収口
１４  ファール球回収通路
１５  ガード壁
１６  工具挿通孔
１７  傾角設定窓
２０  遊技球発射装置
２１  発射機構
２３  発射レール
２４  支持ブロック
３０  遊技盤
３１  化粧板
３２  内レール
３３  案内レール
３４  発射通路
３５  入賞具
３６  画像表示装置
３７  アウト口
２００  発射角度調整機構（第１実施例）
２１０  ガイド部材
２１１  本体部
２１２  軸受孔
２１３  補助レール部
２１４  サイドレール（２１４ａ  突出片）
２１５  ピン係合溝
２１６  ファール球緩衝壁
２１７  指標
２２０  ガイド部材支持ボス
２２１  調整部材支持ボス
２２８  支持ネジ
２３０  傾角設定構造
２３１  傾角調整レバー
２３２  軸受部
２３３  操作レバー部
２３５  係合ピン
２３７  傾角目盛り
２３８  係止ネジ
３００  発射角度調整機構（第２実施例）
３１０  ガイド部材
３１１  本体部
３１２  軸受孔
３１３  補助レール部（３１３ａ  ネジ受けフランジ）
３１４  サイドレール（３１４ａ  突出片）
３１５  ピン係合溝
３１６  ファール球緩衝壁
３１７  指標
３２０  ガイド部材支持ボス
３２８  支持ネジ
３３０  傾角設定構造
３３１  傾角調整ネジ
３３２  支持部材
３３３  ナット
３３４  ネジ部
３３５  係合ピン
３３６  Ｅリング
３３７  傾角目盛り
【図１】
2005021287.tif 000003
【図２】
2005021287.tif 000004
【図３】
2005021287.tif 000005
【図４】
2005021287.tif 000006
【図５】
2005021287.tif 000007
【図６】
2005021287.tif 000008
【図７】
2005021287.tif 000009
【図８】
2005021287.tif 000010
【図９】
2005021287.tif 000011
【図１０】
2005021287.tif 000012
【図１１】
2005021287.tif 000013
【図１２】
2005021287.tif 000014
【図１３】
2005021287.tif 000015